(57)【要約】【課題】取り扱い性に優れた照明パネルを提供する。【解決手段】照明パネル２０は、プリズム面５０ａを有するプリズムシート５１と、プリズム面５０ａの側からプリズムシート５１に対向して配置された導光板３０と、プリズムシート５１と導光板３０との間に配置されプリズムシート５１および導光板３０を接合する屈折率調整層４１と、を備える。屈折率調整層の屈折率は、導光板の屈折率よりも低く且つプリズムシートのプリズム面をなしている部分の屈折率よりも低い。【選択図】図１
2015053242.tif 000002
【特許請求の範囲】
【請求項１】
プリズム面を有するプリズムシートと、
前記プリズム面の側から前記プリズムシートに対向して配置された導光板と、
前記プリズムシートと前記導光板との間に配置され、前記プリズムシートおよび前記導光板を接合する屈折率調整層と、を備え、
前記屈折率調整層の屈折率は、前記導光板の屈折率よりも低く且つ前記プリズムシートのプリズム面をなしている部分の屈折率よりも低い、照明パネル。
【請求項２】
前記導光板は、前記プリズムシートに対向する側にプリズム面を有する、請求項１に記載の照明パネル。
【請求項３】
前記プリズムシートとは反対の側から前記導光板に対向して配置された第２プリズムシートであって、前記導光板に対向する側にプリズム面を有した第２プリズムシートと、
前記第２プリズムシートと前記導光板との間に配置され、前記第２プリズムシートおよび前記導光板を接合する第２屈折率調整層と、をさらに備え、
前記第２屈折率調整層の屈折率は、前記導光板の屈折率よりも低く且つ前記第２プリズムシートのプリズム面をなしている部分の屈折率よりも低い、請求項１又は２に記載の照明パネル。
【請求項４】
請求項１乃至３のいずれか一項に記載の照明パネルと、
前記照明パネルに前記プリズムシートの側から対向して配置されたガラス板と、
前記照明パネルと前記ガラス板との間に配置され前記照明パネル及び前記ガラス板を接合する接合層と、を備える、建材パネル。
【請求項５】
請求項１乃至３のいずれか一項に記載の照明パネルと、
前記導光板の側方に配置された発光体と、を備える、照明装置。
【請求項６】
プリズム面を有するプリズムシートと、前記プリズム面の側から前記プリズムシートに対向して配置された導光板と、の間に樹脂を供給する工程と、
前記プリズムシートと前記導光板との間で前記樹脂を硬化し、前記樹脂の硬化物からなる屈折率調整層であって、前記導光板の屈折率と前記プリズムシートのプリズム面をなしている部分の屈折率との両方よりも低い屈折率を有した屈折率調整層を形成する工程と、を備える、照明パネルの製造方法。
【発明の詳細な説明】
【技術分野】
【０００１】
本発明は、導光板を含む照明パネル、建材パネル、照明装置、及び、照明パネルの製造方法に関する。
【背景技術】
【０００２】
例えば特許文献１に示された建物用の照明装置のように、種々の分野において照明装置が広く使用されている。特許文献１に開示されているように、照明装置には、導光板やプリズムシート等の複数の光学部材が含まれ、これらの光学部材類によって配光特性が制御される。表示装置用のバックライトでは、筐体に光学部材類を取り付けることにより、複数の光学部材及び光源が位置決めされるようになる。
【０００３】
一方、建物用の照明装置では、光学部材が大面積化し、各光学部材が、直接、壁材、天井材、ガラス板等の建築資材や、建物に対して位置決めされ且つ固定される。また、各光学部材は、組み合わされる建築資材の大きさや建物の取り付けられる場所等の大きさに応じて、建築現場で断裁される。
【先行技術文献】
【特許文献】
【０００４】
【特許文献１】特開平１０−１６０９３８号公報
【発明の概要】
【発明が解決しようとする課題】
【０００５】
しかしながら、大型化した光学部材類の取り扱い性は著しく悪い。したがって、光学部材を建築資材や建物に対して位置決めする際、光学部材を損傷してしまうこともある。また、光学部材を適切な大きさに断裁する際にも、断裁不良が生じる。
【０００６】
また、建築用の照明装置においては、照明装置が設置される空間の大きさや形状、当該空間内において照明装置が設置される位置等に応じて、照明装置の配光特性を変更することが好ましい。照明装置の配光特性を変更するには、照明装置に含まれるプリズムシートの構成を変更すればよい。このプリズムシートは、通常、樹脂を成型することにより作製される。したがって、プリズムシートをなす樹脂材料の屈折率を変更する、或いは、プリズムシートのプリズム形状を変更することにより、照明装置の配光特性を調節することができる。ただし、工業上使用可能な範囲内で樹脂材料を変更したとしても、照明装置の配光特性を大きく変化させることはできない。一方、プリズム形状を変更すれば、照明装置の配光特性を大きく変化させることができるが、成型用の型を多数準備する必要や多種類のプリズムシートを管理する必要が生じ、現実的ではない。
【０００７】
本件発明者らは、このような不具合を考慮して鋭意研究を重ねた結果として、本発明による照明パネル、照明パネルを含んでなる建築パネル、照明装置、及び、照明パネルの製造方法を発明するに至った。すなわち、取り扱い性に優れ且つ配光特性を調節しやすい照明パネル、この照明パネルを用いた建材パネル、この照明パネルを用いた照明装置、及び、この照明パネルの製造方法に関する。
【課題を解決するための手段】
【０００８】
本発明による照明パネルは、
プリズム面を有するプリズムシートと、
前記プリズム面の側から前記プリズムシートに対向して配置された導光板と、
前記プリズムシートと前記導光板との間に配置され、前記プリズムシートおよび前記導光板を接合する屈折率調整層と、を備え、
前記屈折率調整層の屈折率は、前記導光板の屈折率よりも低く且つ前記プリズムシートのプリズム面をなしている部分の屈折率よりも低い。
【０００９】
本発明による照明パネルにおいて、前記導光板は、前記プリズムシートに対向する側にプリズム面を有するようにしてもよい。
【００１０】
本発明による照明パネルが、
前記プリズムシートとは反対の側から前記導光板に対向して配置された第２プリズムシートであって、前記導光板に対向する側にプリズム面を有した第２プリズムシートと、
前記第２プリズムシートと前記導光板との間に配置され、前記第２プリズムシートおよび前記導光板を接合する第２屈折率調整層と、をさらに備え、
前記第２屈折率調整層の屈折率は、前記導光板の屈折率よりも低く且つ前記第２プリズムシートのプリズム面をなしている部分の屈折率よりも低くなるようにしてもよい。
【００１１】
本発明による建材パネルは、
上述した本発明による照明パネルのいずれかと、
前記照明パネルに前記プリズムシートの側から対向して配置されたガラス板と、
前記照明パネルと前記ガラス板との間に配置され前記照明パネル及び前記ガラス板を接合する接合層と、を備える。
【００１２】
本発明による照明装置は、
上述した本発明による照明パネルのいずれかと、
前記導光板の側方に配置された発光体と、を備える。
【００１３】
本発明による照明パネルの製造方法は、
プリズム面を有するプリズムシートと、前記プリズム面の側から前記プリズムシートに対向して配置された導光板と、の間に樹脂を供給する工程と、
前記プリズムシートと前記導光板との間で前記樹脂を硬化し、前記樹脂の硬化物からなる屈折率調整層であって、前記導光板の屈折率と前記プリズムシートのプリズム面をなしている部分の屈折率との両方よりも低い屈折率を有した屈折率調整層を形成する工程と、を備える。
【発明の効果】
【００１４】
本発明によれば、取り扱い性に優れた照明パネルが得られる。この照明パネルを利用することにより、照明パネルに含まれる導光板やプリズムシートの歩留まりを効果的に改善することができる。また、比較的に大きな範囲で調節することができる屈折率調整層の屈折率を調節することにより、照明装置の配光特性を比較的に容易に制御することができる。
【図面の簡単な説明】
【００１５】
【図１】本発明の一実施の形態を説明するための図であって、建物に取り付けられた状態の照明装置を模式的に示す縦断面図である。
【図２】照明装置を示す縦断面図である。
【図３】照明装置の照明パネルに含まれるプリズムシートを示す斜視図である。
【図４】照明装置に含まれる照明パネルの製造方法の一例を説明するための図である。
【図５】照明装置の発光面上の輝度の角度分布を示すグラフである。
【図６】照明装置の一変形例を示す縦断面図である。
【図７】照明装置の他の変形例を示す縦断面図である。
【図８】照明装置の照明パネルに含まれる導光板の一変形例示す斜視図である。
【図９】照明装置を照明付き鏡装置に適用した例を示す上面図である。
【発明を実施するための形態】
【００１６】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００１７】
本明細書において、「シート」、「パネル」、「板」、「フィルム」の用語は、呼称の違いのみに基づいて、互いから区別されるものではない。例えば、「シート」は、パネル、板やフィルムと呼ばれ得るような部材も含む概念であり、したがって、例えば「プリズムシート」は、「プリズムパネル」、「プリズム板」や「プリズムフィルム」と呼ばれる部材と呼称の違いのみにおいて区別され得ない。
【００１８】
また、「シート面（パネル面、板面、フィルム面）」とは、対象となるシート状（パネル状、板状、フィルム状）の部材を全体的かつ大局的に見た場合において対象となるシート状部材（パネル状部材、板状部材、フィルム状部材）の平面方向と一致する面のことを指す。本実施の形態においては、後述する照明パネルのパネル面、建築パネルのパネル面、導光板の板面、プリズムシートのシート面、及び、照明装置の発光面は互いに平行となっている。法線方向とは、対象となるシート状（パネル状、板状、フィルム状）のシート面（パネル面、板面、フィルム面）へ直交する方向のことを指す。正面方向とは、照明パネルの法線方向のことを指す。
【００１９】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２０】
図１〜図５は、本発明の一実施の形態を説明するための図である。このうち、図１は、照明装置１０の設置状況を示す図であり、図２は、照明装置１０の照明パネル２０の作用を説明するための図であり、図３は、照明パネル２０のプリズムシート５１，５２を示す斜視図であり、図４は、照明パネル２０の製造方法の一例を示す模式図であり、図５は、照明装置１０の発光特性を示すグラフである。
【００２１】
図１及び図２に示すように、本実施の形態で説明する照明装置１０は、互いに対向する第１発光面１０ａ及び第２発光面１０ｂを有した面発光式の照明装置である。この照明装置１０は、例えば建材として、建物に組み込まれる。図１に示された例においては、照明装置１０は、第１発光面１０ａ及び第２発光面１０ｂが露出するようにして壁８の間に組み込まれ、当該壁８の区切られた二つの領域、例えば、二つの室内を照明する。ただし、後述するように、本発明による照明装置は、両面が発光する型式に限られるものではなく、片面のみが発光する型式とすることもできる。
【００２２】
図１に示すように、照明装置１０は、エッジライト型の照明装置として構成されており、導光板３０を含む照明パネル２０と、照明パネル２０の側方に配置された第１光源１２ａおよび第２光源１２ｂと、を有している。照明装置１０は、照明パネル２０の一方の側に位置する第１ガラス板１６ａと、照明パネル２０の他方の側に位置する第２ガラス板１６ｂと、を有している。第１ガラス板１６ａと照明パネル２０との間には、第１接合層１７ａが設けられており、第２ガラス板１６ｂと照明パネル２０との間には、第２接合層１７ｂが設けられている。
【００２３】
照明パネル２０と、一対のガラス板１６ａ，１６ｂと、一対の接合層１７ａ，１７ｂとによって、建材パネル１５が形成されている。照明装置１０の一部をなす建材パネル１５は、他の壁材等の建材と同様に取り扱われ、ボルト及びナット等の締結具を用いて建物に固定されるようになる。図示する例において、照明パネル２０及び建材パネル１５は、全体的に、一対の主面を有する四角形板状の部材として構成されており、一対の主面間に画成される側面は四つの面を含んでいる。すなわち、図示された例において、照明パネル２０及び建材パネル１５は、平面視において四角形形状となるように構成されており、第１方向ｄ１に対向する一対の縁部と、第２方向ｄ２に対向するもう一対の縁部と、を有している。とりわけ以下で説明する例において、第１方向ｄ１および第２方向ｄ２は互いに直交している。以下、このような概略構成を有した照明装置１０の各構成要素について、詳述していく。
【００２４】
まず、照明パネル２０について説明する。図２に示すように、照明パネル２０は、導光板３０と、導光板３０の一方の側に位置する第１プリズムシート５１と、導光板３０の他方の側に位置する第２プリズムシート５２と、を有している。第１プリズムシート５１と導光板３０との間には、第１屈折率調整層４１が設けられている。第２プリズムシート５２と導光板３０との間には、第２屈折率調整層４２が設けられている。図示された照明パネル２０は、導光板３０と、一対のプリズムシート５１，５２と、一対の屈折率調整層４１，４２とから構成されている。
【００２５】
導光板３０は、一方の側の主面によって構成された第１出光面３０ａと、第１出光面３０ａに対向する他方の側の主面からなる第２出光面３０ｂと、第１出光面３０ａおよび第２出光面３０ｂの間を延びる側面と、を有している。側面のうちの第１方向ｄ１に対向する二つの面のうちの一側の面が第１入光面３０ｃをなし、他側の面が第２入光面３０ｄをなしている。図２に示すように、第１入光面３０ｃに対面して第１光源１２ａが設けられ、第２入光面３０ｄに対面して第２光源１２ｂが設けられている。第１入光面３０ｃから導光板３０に入射した光は、導光方向となる第１方向ｄ１に沿って第１入光面３０ｃに対向する第２入光面３０ｄに向け、概ね第１方向ｄ１に沿って導光板３０内を導光される。同様に、第２入光面３０ｄから導光板３０に入射した光は、第１入光面３０ｃに向け、概ね第１方向ｄ１に沿って導光板３０内を導光される。
【００２６】
図示された例において、導光板３０は、シート状の基部３１を有している。基部３１は、主部３２と、主部３２中に分散された拡散成分３３と、を有している。導光板３０内を進む光は、拡散成分３３によって拡散されることにより、全反射臨界角度未満の角度で導光板３０の主面に入射し導光板３０から取り出されるようになる。主部３２は、優れた光学特性を有する種々の樹脂材料、例えばポリカーボネート系樹脂を用いて形成され得る。拡散成分３３は、主部３２とは異なる屈折率を有した粒状物、あるいは、それ自体が反射性を有した粒状物等から構成され得る。この拡散成分３３をなす粒状物は、金属化合物であってもよいし、気体を含有した多孔質物であってもよいし、さらには、単なる気泡であってもよい。また、粒状物からなる拡散成分３３の形状は、特に問われることはない。したがって、拡散成分３３は、図示された例のように球状（粒子状）である必要はなく、例えば回転楕円体形状や線状等の種々の形状を有することができる。
【００２７】
プリズムシート５１，５２は、入光側から入射した光の進行方向を調節して出光側から出射させるためのシート状部材である。本実施の形態において、第１プリズムシート５１及び第２プリズムシート５２は、対称的に配置されているものの、同一の構成を有している。図３に示す例において、プリズムシート５１，５２は、シート状の本体部５４と、そのシート面上の一方向（配列方向）、具体的には、上述した導光板３０の第１入光面３０ｃと第２入光面３０ｄとを結ぶ第１方向ｄ１に沿って並べて配列された複数の単位プリズム５５を有している。単位プリズム５５は、本体部５４上に配列されており、本体部５４から導光板３０の側へ向けて突出している。すなわち、単位プリズム５５によって形成されるプリズム面５０ａが、導光板３０の側を向くよう、第１プリズムシート５１及び第２プリズムシート５２はそれぞれ配置されている。
【００２８】
単位プリズム５５は、プリズムシート５１，５２のシート面上において、その配列方向に直交する方向、すなわち、第２方向ｄ２に直線状に延びている。単位プリズム５５は、その長手方向に直交する断面において、三角形形状の断面形状を有している。すなわち、単位プリズム５５は、第１方向ｄ１に沿って一側に位置する一側プリズム面５６と、第１方向ｄ１に沿って他側に位置する他側プリズム面５７と、を有している。単位プリズム５５は本体部５４上に隙間無く配列され、プリズムシート５１，５２のプリズム面５０ａは、一側プリズム面５６及び他側プリズム面５７によって形成されている。一方、プリズムシート５１，５２の出光側面は、本体部５４によって形成されている。なお、プリズムシート５１，５２の寸法および形状は、後述する導光板３０の寸法および形状を考慮しながら、適宜設定され得る。
【００２９】
次に、屈折率調整層４１，４２は、プリズムシート５１，５２と導光板３０とを接合する層となっている。本実施の形態において、第１屈折率調整層４１及び第２屈折率調整層４２は、対称的に配置されているものの、同一の構成を有している。第１屈折率調整層４１は、導光板３０及びプリズムシート５１，５２に隣接して配置され、すなわち、導光板３０との間に界面を形成し且つプリズムシート５１，５２との間に界面を形成している。第１屈折率調整層４１は、導光板３０の一方の側の主面を覆い、且つ、第１プリズムシート５１のプリズム面５０ａを覆っている。第２屈折率調整層４２は、導光板３０の他方の側の主面を覆い、且つ、第２プリズムシート５２のプリズム面５０ａを覆っている。とりわけ図示された例では、各屈折率調整層４１，４２は、導光板３０の対応する側の主面の全面を覆い、且つ、対応するプリズムシート５１，５２のプリズム面５０ａの全面を覆っている。
【００３０】
各屈折率調整層４１，４２は、導光板３０よりも低い屈折率を有している。また、屈折率調整層４１，４２は、隣接するプリズムシート５１，５２のプリズム面５０ａをなす部分よりも低い屈折率を有している。照明パネル２０では、屈折率調整層４１，４２と導光板３０との界面での反射、とりわけ屈折率差に起因した全反射により、光を導光することを期待している。また、プリズム面５０ａでの反射、とりわけプリズムシート５１，５２のプリズム面５０ａをなす部分と屈折率調整層４１，４２との間での屈折率差に起因した全反射により、光の進行方向を補正することを期待している。このため、屈折率調整層４１，４２の屈折率は、導光板３０の屈折率よりも、０．０３以上低くなっていることが好ましく、０．０６以上低くなっていることがより好ましい。同様に、屈折率調整層４１，４２の屈折率は、対応する側のプリズムシート５１，５２のプリズム面５０ａをなす部分の屈折率よりも、０．０３以上低くなっていることが好ましく、０．０６以上低くなっていることがより好ましい。
【００３１】
屈折率調整層４１，４２は、電離放射線硬化型樹脂や熱硬化型樹脂の硬化物から形成され得る。この場合、照明パネル２０は、一例として、図４に示された方法により製造され得る。すなわち、まず、ウェブ状の導光板３０が供給され、この導光板３０の上に、屈折率調整層４１，４２をなすようになる未硬化状態の樹脂組成物が供給される。次に、導光板３０の樹脂組成物が供給されている側に、ウェブ状のプリズムシート５１，５２が重ねられていく。そして、プリズムシート５１，５２と導光板３０とが重ねられた状態で、硬化装置９６により、これらの間に配置された未硬化の樹脂組成物が硬化させられる。この結果、樹脂組成物の硬化物からなる屈折率調整層４１，４２が形成され、この屈折率調整層４１，４２が、導光板３０と屈折率調整層４１，４２とを接合する。
【００３２】
ただし、屈折率調整層４１，４２は、樹脂硬化物からなることに限定されず、単なる接着剤や粘着剤からなる層であってもよい。
【００３３】
次に、ガラス板１６ａ，１６ｂは、建材パネル１５の外装材となる。したがって、適度な強度を有していることが好ましい。また、ガラス板１６ａ，１６ｂは、照明装置１０の第１発光面１０ａ及び第２発光面１０ｂを形成するため、可視光透過性に優れていることが好ましい。第１ガラス板１６ａ及び第２ガラス板１６ｂは、対称的に配置されているものの、同一に構成され得る。接合層１７ａ，１７ｂは、対応する側のガラス板１６ａ，１６ｂを照明パネル２０に接合するための層である。接合層１７ａ，１７ｂとして、例えば、ＥＶＡ（Ethylene-Vinyl Acetate）樹脂を用いたヒートシール層を用いることができる。
【００３４】
光源１２ａ，１２ｂをなす発光体１３として、種々の既知な発光体１３、例えば冷陰極管、とりわけ配光方向を絞った冷陰極管を用いることもできる。ただし、図示する例では、複数の点状発光体１３、典型的には、線状に配列された複数の発光ダイオード（ＬＥＤ）を用いて光源１２ａ，１２ｂが構成されている。各光源１２ａ，１２ｂをなす多数の発光体１３は、導光板３０の対応する入光面３０ｃ，３０ｄの長手方向に沿って並べて配置されている。すなわち、本実施の形態では、各光源１２ａ，１２ｂをなす多数の点状発光体１３は、第２方向ｄ２に並べて配置されている。
【００３５】
次に、以上のような構成からなる照明装置１０の作用について説明する。
【００３６】
まず、図２に示すように、第１光源１２ａをなす発光体１３で発光された光は、第１入光面３０ｃを介して導光板３０に入射し、第２光源１２ｂをなす発光体１３で発光された光は、第２入光面３０ｄを介して導光板３０に入射する。図２に示すように、導光板３０へ入射した光の多くは、導光板３０の第１出光面３０ａおよび第２出光面３０ｂにおいて、反射を繰り返し、導光板３０の第１入光面３０ｃと第２入光面３０ｄとを結ぶ導光方向、とりわけ図示された例では第１方向ｄ１へ進んでいく。この際、出光面３０ａ，３０ｂでの反射は、導光板３０をなす材料と、導光板３０に隣接する屈折率調整層４１，４２をなす材料との屈折率差に起因した全反射となる。
【００３７】
ただし、導光板３０の基部３１内には拡散成分３３が分散されている。このため、図２に示すように、導光板３０内を進む光は、拡散成分３３によって進行方向を不規則に変更され、全反射臨界角未満の入射角度で第１出光面３０ａおよび第２出光面３０ｂに入射することもある。この場合、当該光は、導光板３０の第１出光面３０ａおよび第２出光面３０ｂから、出射し得るようになる。第１出光面３０ａから出射した光は、第１屈折率調整層４１を介して第１プリズムシート５１へと向かう。一方、第２出光面３０ｂから出射した光は、第２屈折率調整層４２を介して第２プリズムシート５２へと向かう。
【００３８】
導光板３０内を進行する光と、導光板３０内に分散された拡散成分４５と、の衝突は、導光板３０内の導光方向に沿った各区域において、生じる。このため、導光板３０内を進んでいる光は、少しずつ、出光面３１から出射するようになる。これにより、導光板３０の出光面３１から出射する光の導光方向（第１方向ｄ１）に沿った光量分布を均一化させることができる。
【００３９】
なお、導光板３０から出射する光の出射角度は、それまで、導光板３０内を主として第１方向ｄ１に進んでいたことに起因して、第１方向ｄ１と平行な面において、導光板３０の法線方向から比較的大きく傾斜した比較的に大きな出射角度となる。具体的には、導光板３０から出射する光の第１方向成分の出射角度、すなわち出射光の第１方向成分と導光板３０の法線方向とがなす角度は、比較的大きな角度となる狭い角度範囲内に偏る、傾向がある。例えば、導光板３０の板面への法線方向に対して６５°以上８０°以下（さらには６５°以上７５°以下）の範囲にピーク輝度が発生するように設定することができる。ただし、図２に示すように、第１光源１２ａからの光と、第２光源１２ｂからの光は、導光板３０の法線方向に対して互いに異なる側に傾斜する。
【００４０】
以上のようにして最終的に導光板３０から出射した光は、図２に示すように、屈折率調整層４１，４２へ入射する。導光板３０から屈折率調整層４１，４２へ入射する際、光は屈折する。屈折率調整層４１，４２をなす材料の屈折率は、導光板３０をなす材料の屈折率差よりも低くなっている。したがって、屈折率調整層４１，４２へ入射した光の進行方向は正面方向ｎｄに対してさらに傾斜する。このため、屈折率調整層４１，４２内を進む第１方向成分の進行方向と導光板３０の板面への法線方向ｎｄとがなす角度は、非常に狭い特定の角度範囲（例えば、６５°〜８５°）内に偏る、傾向が生じる。
【００４１】
屈折率調整層４１，４２内を進む光は、その後、プリズムシート５１，５２へ向かう。上述したように、プリズムシート５１，５２は、導光板３０に対面する側へプリズム面５０ａを有している。プリズム面５０ａは、導光板３０側へ向けて頂角が突出する断面三角形状の単位プリズム５５によって形成されている。単位プリズム５５の長手方向は、導光板３０による第１方向ｄ１と交差する方向、とりわけ本実施の形態では導光方向と直交する第２方向ｄ２と、平行になっている。そして、プリズムシート５１，５２の単位プリズム５５に向けて屈折率調整層４１，４２内を進む光の進行方向は、狭い角度範囲内に絞られている。
【００４２】
これらのことから、図２に示すように、導光板３０の出光面３０ａ，３０ｂから出射した第１光源１２ａからの光の多くが、プリズムシート５１，５２の単位プリズム５５の一側プリズム面５６で屈折して当該単位プリズム５５内へ入射し、その後、当該単位プリズム５５の他側プリズム面５７で全反射するように、プリズムシート５１，５２を設計することができる。同様に、導光板３０の出光面３０ａ，３０ｂから出射した第２光源１２ｂからの光の多くが、プリズムシート５１，５２の単位プリズム５５の他側プリズム面５７で屈折して当該単位プリズム５５へ入射し、その後、当該単位プリズム５５の一側プリズム面５６で全反射するように、プリズムシート５１，５２を設計することができる。
【００４３】
プリズムシート５１，５２で偏向された光は、その後、接合層１７ａ，１７ｂ及びガラス板１６ａ，１６ｂを透過する。このようにして、ガラス板１６ａ，１６ｂによって形成された第１発光面１０ａ及び第２発光面１０ｂが面発光し、照明装置１０が設置された領域を照明する。
【００４４】
ところで、図２に示された例では、第１光源１２ａで発光されて発光面１０ａ，１０ｂから出射する光の進行方向は、当該光学シート３０の法線方向まで絞り込まれず、この光に起因して形成される輝度の角度分布のピークは、第１方向ｄ１における一側から他側に向け、正面方向ｎｄに対して傾斜している。一方、第２光源１２ｂで発光されて発光面１０ａ，１０ｂから出射する光の進行方向は、正面方向ｎｄまで絞り込まれず、この光に起因して形成される輝度の角度分布のピークは、第１方向ｄ１における他側から一側に向け、正面方向ｎｄに対して傾斜している。このような第１光源１２ａからの光および第２光源１２ｂからの光によれば、図５に示された理想的な輝度の角度分布を実現することが可能となる。
【００４５】
ここで図５には、照明装置１０の理想的な発光特性の一例が示されている。図５に示されたグラフは、照明装置１０の発光面１０ａ，１０ｂでの輝度を、正面方向ｎｄおよび第１方向ｄ１の両方向に沿った面内の各方向から、測定することによって得られる輝度の角度分布である。図５に示された照明装置１０の発光面１０ａ，１０ｂ上での輝度の角度分布では、正面方向ｎｄの両側となる方向に、正面方向ｎｄでの輝度よりも高輝度となる輝度のピークが存在する。より具体的には、図５に示された照明装置１０の発光面１０ａ，１０ｂ上での輝度の角度分布では、正面方向ｎｄに輝度のピークが存在しない。そして好ましくは、正面方向ｎｄに対して２０°以上傾斜した方向に輝度のピークが存在する。
【００４６】
図１に示すように、照明装置１０の発光面１０ａから或る一定の角度範囲θｒに広がる光束Ｌｆａ，Ｌｆｂは、発光面１０ａと略平行な面上、異なる広さの領域Ｚａ，Ｚｂに進む。図１に示すように、発光面１０ａの直面する正面方向ｎｄに進む光束Ｌｆｂが進む領域Ｚｂよりも、正面方向ｎｄに対して傾斜した方向に進む光束Ｌｆａが進む領域Ｚａの方が広くなる。したがって、照明装置１０が設置されている領域内の各位置における照度を揃える観点からは、光学シート３０への法線方向ｎｄの両側となる方向に、光学シート３０の法線方向ｎｄでの輝度よりも高輝度となる輝度のピークが存在することが好ましい。とりわけ、正面方向ｎｄに対して２０°以上傾斜した方向に輝度のピークが存在することが好ましい。
【００４７】
以上のような本実施の形態の照明装置１０では、プリズム面５０ａを有するプリズムシート５１，５２と、プリズム面５０ａの側からプリズムシート５１，５２に対向して配置された導光板３０と、プリズムシート５１，５２及び導光板３０を接合する屈折率調整層４１，４２と、を有する照明パネル２０が、光源１２ａ，１２ｂの発光体１３に対して位置決めされている。したがって、この照明装置１０を建物等に設置する際に、屈折率調整層４１，４２と導光板３０と発光体１３とをそれぞれ互いに位置決めする必要が無く、照明パネル２０と発光体１３とを位置決めすれば良い。したがって、例えば液晶表示装置用のバックライトのように光学部材類をセットするフレーム部材を用いること無く、建物等に照明パネル２０及び光源１２ａ，１２ｂをそれぞれ設置することにより、照明装置１０を据え付けることが可能となる。すなわち、導光板３０やプリズムシート５１，５２等の取り扱いを飛躍的に容易化することができ、これにより、これらの部材を取り扱い中に損傷してしまうことを効果的に防止することができる。したがって、とりわけ取り扱い性が著しく低下する大型の照明装置１０において、各部材の歩留まりを大幅に改善することができる。また、導光板３０やプリズムシート５１，５２等の部材間の位置合わせが正確となり、且つ、これらの部材と光源１２ａ，１２ｂの発光体１３との位置決め精度も改善する。この点から、照明装置１０がより正確に所望の配光特性を呈するようになる。
【００４８】
また、照明パネル２０内において、導光板３０と屈折率調整層４１，４２との間の界面にて光の屈折が起こり、且つ、屈折率調整層４１，４２とプリズムシート５１，５２との界面にても光の屈折が起こる。これらの屈折による光路変更は、屈折率調整層４１，４２の屈折率によって制御することができる。すなわち、ある所定の導光板３０及びプリズムシート５１，５２を用いながら、比較的に容易に調整可能な屈折率調整層４１，４２の屈折率を制御することにより、照明装置１０の配光特性を変更することが可能となる。これにより、比較的に安価に所望の配光特性を有した照明装置１０を得ることができる。
【００４９】
とりわけ、上述した実施の形態では、導光板３０の両側に屈折率調整層４１，４２を介してプリズムシート５１，５２が配置されている。したがって、従来の照明装置を二台設置することと比較すると、上述の作用効果がより顕著に奏されることになる。
【００５０】
また上述した実施の形態においては、接合層１７ａ，１７ｂを介してガラス板１６ａ，１６ｂが照明パネル２０に積層されて建材パネル１５が形成されている。このような建材パネル１５は、合わせガラスと同様に取り扱うことができる。すなわち、照明装置を設置するといった特殊な作業として、導光板３０やプリズムシート５１，５２の設置が施行されるのではなく、建物を建設する作業現場で日常的に取り扱われている建築資材を取り扱うかのようにして、照明装置１０を設置することができる。これにより、照明装置１０の設置が容易化され、且つ、照明装置１０の歩留まりを改善することができる。
【００５１】
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００５２】
上述した実施の形態において、照明装置１０が互いに対向する一対の発光面１０ａ，１０ｂを有する例を示したが、この例に限られない。例えば図６に示すように、照明装置１０が、単一の発光面１０ａを有するようにしてもよい。図６に示された例では、上述した実施の形態の照明パネルから、第２屈折率調整層４２及び第２プリズムシート５２が省かれている。また、図６に示された例では、上述した実施の形態の建材パネルから、第２ガラス板１６ｂ及び第２接合層１７ｂが省かれている。一方、照明パネル２０の導光板３０に対向して、反射層７０が設けられている。反射層７０は、導光板３０の他方の側の面を介して照明パネル２０から漏れ出た光を反射して、再び、照明パネル２０に戻す。図６に示された例においても、屈折率調整層４１によって導光板３０とプリズムシート５１とが接合されているので、これらの部材の取り扱い性が著しく改善され、上述した実施の形態と同様の作用効果、例えば、設置作業の容易化、歩留まり改善、所望の配光特性確保を実現することができる。
【００５３】
なお、図６に示された例においては、反射層７０が、照明パネル２０と別部材として設けられているが、この例に限られない。反射層７０が、導光板３０の他方の側の面に接合されていてもよい。このような反射層７０として、導光板３０の他方の側の面に成膜された金属蒸着膜を採用することができる。また、反射層７０に他方の側から第２接合層１７ｂを介して第２ガラス板１６ｂを積層してもよい。
【００５４】
また、上述した導光板３０は一例に過ぎず、種々の導光板３０を用いることができる。例えば、上述した実施の形態において、導光板３０が、導光板内から光を取り出すための要素として拡散成分３３を有する例を示したが、拡散成分３３に代えて或いは拡散成分３３に加えて、図７に示すように、導光板３０の主面を斜面３０ｆによって形成するようにしてもよい。また例えば、図８に示すように、導光板３０が、基部３１と、基部３１の一方の面上に配列された単位光学要素３５と、を有するようにしてもよい。単位光学要素３５は、第１方向ｄ１と交差する方向、例えば第２方向ｄ２に配列される。各単位光学要素３５は、その配列方向と交差する方向、例えば第１方向ｄ１に直線状に延びている。導光板３０の第１プリズムシート５１に対面する第１出光面３０ａは、この単位光学要素３５によって形成されたプリズム面となっている。このような単位光学要素３５は、導光板３０からの光の取り出しを促進する要素として機能するとともに、その配列方向に沿った光の成分の光路を制御する要素として機能する。
【００５５】
さらに、上述した実施の形態において、プリズムシートの主切断面における単位プリズム５５の断面形状の一例を説明したが、上述した例に限られない。ここでプリズムシートの主切断面とは、プリズムシート５１，５２の法線方向及び単位プリズム５５の配列方向の両方に平行な断面のことである。例えば、単位プリズム５５の主切断面における断面形状が、三角形形状からなる例を示したが、これに限られず、単位プリズム５５の主切断面における断面形状は種々の形状に設計され得る。例えば、単位プリズム５５の断面形状をなす三角形形状の頂部が面取りされていてもよい。
【００５６】
また、単位プリズム５５の一側プリズム面５６と他側プリズム面５７とが、プリズムシート５１，５２の法線方向ｎｄを中心として対称に構成されている例を示したがこれに限られない。一側プリズム面５６と他側プリズム面５７とが、非対称に構成され、第１光源１２ａからの光および第２光源１２ｂからの光を、互いに非対称な所望の方向に偏向するようにしてもよい。
【００５７】
さらに、プリズムシートの主切断面において、上述した三角形形状の本体部５４から延び出る二辺５６，５７のうちの少なくとも一辺が、外方に膨出した曲線となるように変形されてもよい。さらに、プリズムシートの主切断面において、単位プリズム５５が、曲線状の外輪郭を有するようにしてもよい。すなわち、単位プリズム５５の表面が曲面として構成されてもよい。具体的な形状の例として、プリズムシートの主切断面において、単位プリズム５５が、楕円の一部（一例として半楕円）または円の一部（一例として半円）に相当する形状を有するようにしてもよい。
【００５８】
また、上述した実施の形態において、プリズムシート５１，５２に含まれる単位プリズム５５が同一に形成されている例を示したが、これに限られない。例えば、複数の単位プリズム５５が、フレネルレンズを形成するように構成されていてもよい。さらに、単位プリズム５５は、一次元配列された線状の要素に限られることなく、二次元配列されてマイクロレンズ（フライアイレンズ）を構成する点状の要素であってもよい。
【００５９】
さらに、プリズムシート５１，５２が、透過光を拡散する拡散機能を有していてもよい。具体的には、プリズムシート５１，５２の出光側面が粗面として形成されていてもよいし、プリズムシート５１，５２が拡散成分を含むようにしてもよい。
【００６０】
さらに、上述した実施の形態において、光源１２ａ，１２ｂの発光体１３として、ＬＥＤを例示したが、これに限られず、その他の点状発光体を用いてもよい。また、光源１２ａ，１２ｂの発光体１３は、点状発光部材に限られず、例えば冷陰極管等の線状発光部材を用いても良い。さらに、第１光源１２ａ及び第２光源１２ｂのうちの一方を省略してもよい。
【００６１】
さらに、上述した実施の形態において、照明装置１０を建物に設置する例を示したが、この例に限られず、種々の用途で用いられる照明装置として適用可能である。例えば図９に示す例においては、照明装置１０が照明付き鏡装置８０に適用されている。図９に示された照明付き鏡装置８０において、両面発光式の照明装置１０の一方の側方に、裏面が向き合うようにして配置された一対の鏡８０ａ，８０ｂが配置され、両面発光式の照明装置１０の他方の側方に、裏面が向き合うようにして配置された一対の鏡８０ｃ，８０ｄが配置されている。図９に示された例において、照明装置１０の第１発光面１０ａ及び第２発光面１０ｂは、それぞれ、図５に示された発光特性にて面状に発光する。このため、各鏡８０ａ，８０ｂ，８０ｃ，８０ｄの正面に位置する被写体１，２，３，４を照明装置１０によって効率的に照明することができる。これにより、鏡８０ａ，８０ｂ，８０ｃ，８０ｄへの被写体の１，２，３，４の写り映えが改善される。
【００６２】
なお、以上において上述した実施の形態に対するいくつかの変形例を説明してきたが、当然に、複数の変形例を適宜組み合わせて適用することも可能である。
【符号の説明】
【００６３】
８     壁
１０   照明装置
１０ａ 第１発光面
１０ｂ 第２発光面
１２ａ 第１光源
１２ｂ 第２光源
１３   発光体
１５   建材パネル
１６ａ 第１ガラス板
１６ｂ 第２ガラス板
１７ａ 第１接合層
１７ｂ 第２接合層
２０   照明パネル
３０   導光板
３０ａ 第１出光面
３０ｂ 第２出光面
３０ｃ 第１入光面
３０ｄ 第２入光面
３０ｆ 斜面
３１   基部
３２   主部
３３   拡散成分
３５   単位光学要素
４１   第１屈折率調整層
４２   第２屈折率調整層
５０ａ プリズム面
５１   第１プリズムシート
５２   第２プリズムシート
５４   本体部
５５   単位プリズム
５６   一側プリズム面
５７   他側プリズム面
７０   反射層
８０   照明付き鏡装置
８１ａ 鏡
８１ｂ 鏡
８１ｃ 鏡
８４ｄ 鏡
【図１】
2015053242.tif 000003
【図２】
2015053242.tif 000004
【図３】
2015053242.tif 000005
【図４】
2015053242.tif 000006
【図５】
2015053242.tif 000007
【図６】
2015053242.tif 000008
【図７】
2015053242.tif 000009
【図８】
2015053242.tif 000010
【図９】
2015053242.tif 000011